(57)【要約】      （修正有）【課題】ＲＦＩＤ装置の良好なセキュリティ確保を可能にする。【解決手段】  送受信部１３は、ＲＦＩＤ装置Ａから固有ＩＤおよび識別値を受信する。記憶部１５は、予め記憶された所定の計算式の他、それら受信された固有ＩＤおよび識別値を記憶する。制御部２３は、記憶された固有ＩＤおよび識別値に基づき当該固有ＩＤを計算式に代入して得られた判定値とその識別値との一致不一致を比較する。制御部２３は、判定値と識別値が一致したとき当該ＲＦＩＤ装置Ａ内の格納情報がコピーされたものでないと判別する。【選択図】図３
2008108139.tif 000002
【特許請求の範囲】
【請求項１】
少なくとも当該装置に固有の書き換えできない固有ＩＤを含む情報が読み書き可能に格納された記憶部と、
この記憶部に格納された前記固有ＩＤを含む前記格納情報を外部との間で送受信する送受信部と、
前記記憶部の読み書き制御および前記送受信部の送受信制御をする制御部と、
を具備し、
前記記憶部は、前記固有ＩＤを所定の計算式に代入して得られた識別値が前記格納情報として格納されてなることを特徴とするＲＦＩＤ装置。
【請求項２】
個々のＲＦＩＤ装置に付与される固有ＩＤとこの固有ＩＤを所定の計算式に代入して得られる識別値とが格納される当該ＲＦＩＤ装置から前記固有ＩＤおよび識別値を受信する受信部と、
受信された前記固有ＩＤおよび識別値に基づき、当該固有ＩＤを前記計算式と同じ計算式に代入して得られた判定値が前記識別値に一致したとき前記ＲＦＩＤ装置が真正であると判別する判別制御部と、
を具備することを特徴とするＲＦＩＤ判別装置。
【請求項３】
ＲＦＩＤ装置から固有ＩＤを受信するとともに前記ＲＦＩＤ装置に識別値を送信する送受信部と、
受信された前記固有ＩＤを所定の計算式に代入して得られた値を前記識別値として生成して前記送受信部から送信制御する生成送信制御部と、
を具備するＲＦＩＤ制御装置。
【発明の詳細な説明】
【技術分野】
【０００１】
本発明はＲＦＩＤ装置、ＲＦＩＤ判別装置およびＲＦＩＤ制御装置に係り、種々の情報を記憶したＲＦＩＤ装置、このＲＦＩＤ装置の真正／不真正を判別する判別装置、およびＲＦＩＤ装置の真正判別用情報を格納制御する制御装置に関する。
【背景技術】
【０００２】
ＲＦＩＤ（Radio Frequency Identification)装置は、内蔵するＩＣチップ内に種々の情報を読み書き可能に記録しておき、それを電波で読み出すものであり、商品に取り付けられたりカードに埋め込まれたりして使用され、商品や所持人の認証、生産現場における商品管理等に使用される。
【０００３】
このように、ＲＦＩＤ装置は、商品やカードに付して使用されるが、管理情報等が読み書きが可能であることから、格納された情報が当該ＲＦＩＤ装置を示す真正なものである必要があり、誤って又は故意に、意図する商品やカードとは異なる商品やカード所持人に関係する情報が不正にコピー格納されると、セキュリティ確保の観点から好ましくない。
【０００４】
そこで、ＲＦＩＤ装置のセキュリティを確保する提案として、例えば特開２００３−１６３９６公報（特許文献１）に示すＲＦＩＤシステムがある。
【０００５】
この特許文献１の構成は、電源のパワーオンリセット信号又はリーダーから送られるポーリング信号に対して、タグから少なくとも２回以上、パケットが返信されるＲＦＩＤシステムにおいて、タグに内蔵されるＩＣの製造ばらつきに基づいて変動するタグに固有のパケットの通信間隔を測定し、この測定値とタグに明示的又は暗示的に書き込んだ値とを比較し、両者が一致する場合にタグを承認する構成を有し、タグ内のデータを不正に読み出してタグを複製した場合であっても確実にそれを識別可能にしたものである。
【特許文献１】特開２００３−１６３９６号公報
【発明の開示】
【発明が解決しようとする課題】
【０００６】
しかしながら、上述した特許文献１のＲＦＩＤシステムでは、タグ毎の短い通信間隔の測定精度が十分とは言い難いうえ、ＩＳＯ規約上からタグ製造時に付与された固有ＩＤを使うため、装置に内蔵したＩＣの製造ばらつきがない場合には使用が困難である。
【０００７】
本発明はそのような課題を解決するためになされたもので、簡単な構成により、ＲＦＩＤ装置の真正／不真正の有無を判別してセキュリティを確保することが可能なＲＦＩＤ装置、ＲＦＩＤ判別装置およびＲＦＩＤ制御装置の提供を目的とする。
【課題を解決するための手段】
【０００８】
そのような課題を解決するために本発明に係るＲＦＩＤ装置は、少なくとも当該装置に固有の書き換えできない固有ＩＤを含む情報が読み書き可能に格納された記憶部と、この記憶部に格納された固有ＩＤを含むそれら格納情報を外部との間で送受信する送受信部と、その記憶部の読み書き制御および前記送受信部の送受信制御をする制御部とを具備し、その記憶部にはその固有ＩＤを所定の計算式に代入して得られた識別値が上記格納情報として格納されて構成されている。
【０００９】
本発明に係るＲＦＩＤ判別装置は、個々のＲＦＩＤ装置に付与される固有ＩＤとこの固有ＩＤを所定の計算式に代入して得られる識別値とが格納される当該ＲＦＩＤ装置からそれらの固有ＩＤおよび識別値を受信する受信部と、受信した固有ＩＤおよび識別値に基づき、当該固有ＩＤを上記計算式と同じ計算式に代入して得られた判定値がその識別値に一致したとき当該ＲＦＩＤ装置が真正であると判別する判別制御部とを具備している。
【００１０】
本発明に係るＲＦＩＤ制御装置は、ＲＦＩＤ装置から固有ＩＤを受信するとともに当該ＲＦＩＤ装置に識別値を送信する送受信部と、受信した固有ＩＤを所定の計算式に代入して得られた値をその識別値として生成してその識別値をその送受信部から送信制御する生成送信制御部とを具備している。
【発明の効果】
【００１１】
このような本発明に係るＲＦＩＤ装置では、少なくとも当該装置に固有の固有ＩＤを含む情報が記憶部に読み書き可能に格納され、この記憶部に格納された固有ＩＤを含む格納情報が外部との間で送受信部で送受信され、制御部にてその記憶部の読み書き制御および送受信部の送受信制御をするうえ、その記憶部にはその固有ＩＤを所定の計算式に代入して得られた識別値が格納されているから、その識別値を用いてＲＦＩＤ装置の真正／不真正の有無判別が可能で、良好なセキュリティ確保が可能である。
【００１２】
本発明に係るＲＦＩＤの判別装置では、個々のＲＦＩＤ装置に付与される固有ＩＤとこの固有ＩＤを所定の計算式に代入して得られる識別値とが受信部で受信され、これら受信された固有ＩＤおよび識別値に基づき、判別制御部が当該固有ＩＤをその計算式と同じ計算式に代入して得られた判定値とその識別値との一致したとき当該ＲＦＩＤ装置が真正であると判別するから、簡単な構成によってＲＦＩＤ装置のコピーの有無を介して真正／不真正の判別が容易で、良好なセキュリティ確保が可能である。
【００１３】
本発明に係るＲＦＩＤ制御装置では、ＲＦＩＤ装置から送受信部が固有ＩＤを受信し、受信した固有ＩＤを生成送信制御部が所定の計算式に代入して識別値として生成し、その識別値を送受信部からＲＦＩＤ装置に送信制御するから、簡単な構成によってＲＦＩＤ装置のコピー判別用の識別値をＲＦＩＤ装置に格納可能で、良好なセキュリティ確保に資する。
【発明を実施するための最良の形態】
【００１４】
以下、本発明に係るＲＦＩＤ装置、ＲＦＩＤ判別装置およびＲＦＩＤ制御装置の実施の形態を図面を参照して説明する。
【００１５】
図１は本発明に係るＲＦＩＤ装置の実施の形態を示すブロック図である。
【００１６】
図１において本発明に係るＲＦＩＤ装置Ａは、アンテナ部１、送受信部３、記憶部５、制御部７を有して構成されており、送受信部３、記憶部５および制御部７は例えばＩＣチップ９内に形成されてシート状又はチップ状のタグ本体１１に搭載されている。
【００１７】
アンテナ部１は、タグ本体１１に形成された例えば公知のループ状送受信アンテナであって送受信部３に接続されている。
【００１８】
送受信部３は、制御部７の制御の下、外部からアンテナ部１で受信した駆動電波を整流平滑してＩＣチップ９内の駆動電源を形成するとともに、受信電波を検波したり、送信情報を変調送信する他、種々の信号処理を行うものであり、記憶部５および制御部７に接続されている。
【００１９】
記憶部５は、制御部７の制御の下、制御部７からの情報を格納する読み書き可能なメモリであり、図２に示すように、例えばＩＳＯ規約上から個々のＲＦＩＤ装置Ａの製造時にこれ固有に付与された固有ＩＤの他、国コード、作成者等をテーブル状に格納するものである。固有ＩＤは一般に書き換えできないように格納されている。
【００２０】
しかも、記憶部５には、外部から例えば制御部７を介して得られた識別値が格納されている。この識別値は、その固有ＩＤを所定の計算式に代入して得られたものであり、いずれの固有ＩＤを代入しても例えば計算値が常に「０」になるような予め決められた計算式に代入して得られたその計算値「０」であり、外部から制御部７を介して格納される。識別値の算出については後述する。
【００２１】
制御部７は、制御演算の主体をなすＣＰＵやこの動作プログラムを格納したＲＯＭからなり、送受信部３および記憶部５を制御して、外部から電波の受信解析処理、この処理に基づく記憶部５への情報の格納処理や情報の読出し送信処理を制御する機能を有している。
【００２２】
このようなＲＦＩＤ装置Ａでは、書き換えできない固有ＩＤを所定の計算式に代入して予め外部で得られた識別値が、制御部７の制御下、アンテナ部１および送受信部３を介して記憶部５に格納されるとともに、外部からの読出し指示に基づき記憶部５から固有ＩＤ等とともに送受信部３およびアンテナ部１を介して外部へ送信される。
【００２３】
そのため、例えば、ＲＦＩＤ装置Ａから得られたそれら固有ＩＤおよび識別値に対し、上述した計算式にその固有ＩＤを代入して判定値を算出し、この判定値と識別値との一致不一致を比較して一致すれば、当該ＲＦＩＤ装置Ａ内の格納情報がコピーされたものではなく、当該ＲＦＩＤ装置Ａ（ＲＦＩＤ装置Ａの付された商品、例えば画像形成装置の印刷トナー）が真正であると判別されるから、その識別値を用いてＲＦＩＤ装置Ａ自体の良好なセキュリティ確保が可能である。
【００２４】
次に、本発明に係るＲＦＩＤ判別装置を説明する。
【００２５】
図３において本発明に係るＲＦＩＤ判別装置は、送受信部１３、記憶部１５、操作表示部１７、画像読取部１９、印刷部２１および制御部２３を有して構成されており、例えば複写機、プリンタ又はこれらの複合機（ＭＦＰ：Multi Function Peripheral）等の画像形成装置の一部をなしている。
【００２６】
送受信部１３は、制御部２３の制御の下、図１に示したＲＦＩＤ装置Ａに付与される固有ＩＤとこの固有ＩＤに関する識別値とを非接触で受信する受信機能を有するとともに、それら固有ＩＤおよび識別値等を記憶部１５にする機能の他、識別値をＲＦＩＤ装置Ａに送信する送信機能を有している。固有ＩＤとこの固有ＩＤに関する識別値の送信機能の詳細は後述する。
【００２７】
なお、ＲＦＩＤ装置Ａからの固有ＩＤおよび識別値の受信は、例えば画像形成装置の印刷トナー（図示せず。）の装填時等に自動的に実施される。
【００２８】
記憶部１５は、制御部２３の制御の下、受信した固有ＩＤ、識別値およびこの識別値を算出する算出式を読み書き可能に記憶する機能や、操作表示部１７で表示するデータ、画像読取部１９で読取られた画像データ、この画像データから生成された印刷画像イメージデータ等を格納する公知のメモリである。
【００２９】
操作表示部１７は、装置本体（図示せず。）に配置された液晶表示パネルを兼ねたタッチスイッチ式パネル入力部であり、制御部２３の制御の下、ＲＦＩＤ装置Ａからの固有ＩＤおよび識別値の取り込み指示、画像読取部１９による画像読取り指示、印刷部２１での印刷指示その他の指示を入力するものである他、後述する「ＲＦＩＤ装置Ａの真正、不正」を表示する機能を有する。
【００３０】
画像読取部１９は、画像原稿を例えば光学的に読取る従来公知の読取り部であり、印刷部２１は、読取り画像データに基づく印刷画像イメージデータを印刷する公知のカラー又はモノクロの印刷エンジンであり、いずれも制御部２３の制御の下で動作する。
【００３１】
制御部２３は、制御演算の主体をなすＣＰＵやこの動作プログラムを格納したＲＯＭからなり、送受信部１３による固有ＩＤおよび識別値の受信制御や記憶部１５への格納、読出し制御、操作表示部１７で表示入力制御、画像読取部１９による画像データ読取り制御、この画像データから印刷画像イメージデータ生成記憶制御機能、印刷部２１による印刷制御機能を有している。
【００３２】
制御部２３は、記憶された算出式、固有ＩＤおよび識別値を読出し、当該固有ＩＤを計算式に代入して判定値を算出し、この判定値がその識別値に一致したとき、当該ＲＦＩＤ装置Ａ内の格納情報がコピーされたものでなく、当該ＲＦＩＤ装置Ａが真正であると判別して、操作表示部１７に「ＲＦＩＤ装置Ａが真正」である旨表示し、判定値が識別値に一致しないとき、コピーされたものであって当該ＲＦＩＤ装置Ａが不真正（不正）であると判別して、操作表示部１７に「ＲＦＩＤ装置Ａが不正」である旨表示する機能を有している。
【００３３】
すなわち、制御部２３は判別制御機能を有し、例えば印刷トナーが純正品か否か判別される。
【００３４】
制御部２３は、ＲＦＩＤ装置Ａが不真正（不正）であると判別したき、画像読取部１９および印刷部２１等、画像形成装置の主要な動作を禁止又は制限する機能を有している。
【００３５】
このような本発明に係るＲＦＩＤ判別装置では、ＲＦＩＤ装置Ａから固有ＩＤおよび識別値を送受信部１３で受信し、これら受信された固有ＩＤおよび識別値を記憶部１５に記憶し、制御部２３が記憶された固有ＩＤおよび識別値に基づき当該固有ＩＤを計算式に代入して得られた判定値とその識別値との一致不一致を比較し、一致したとき当該ＲＦＩＤ装置Ａ内の格納情報のコピーの有無を判別する。
【００３６】
そのため、ＲＦＩＤ装置Ａから受信した固有ＩＤに基づき簡単な算出によって得られた判別値と、ＲＦＩＤ装置Ａから受信した識別値との比較といった簡単な構成によってＲＦＩＤ装置Ａ（ＲＦＩＤ装置Ａの付された商品）の真正／不真正を判別するから、ＲＦＩＤ装置の真正／不真正の判別が容易、迅速かつ正確であり、ＲＦＩＤ装置Ａの良好なセキュリティ確保が可能である。
【００３７】
さらに、本発明に係るＲＦＩＤ制御装置を説明する。このＲＦＩＤ制御装置は、図３に示したＲＦＩＤ判別装置に機能を付加したものであり、同じ図３を参照して説明する。
【００３８】
すなわち、制御部２３は、記憶された固有ＩＤを所定の計算式に代入して得られた値をその識別値として生成し、記憶部１５に格納し、送受信部１３を制御して生成した識別値を固有ＩＤとともに又は単独で送信する生成送信制御部として機能を有している。他の構成および機能は、図３の構成とほぼ同様である。
【００３９】
なお、この構成では、ＲＦＩＤ装置Ａから固有ＩＤを受信して取り込み、識別値を生成してから固有ＩＤとともに又は単独で送信することになる。
【００４０】
このようなＲＦＩＤ制御装置では、ＲＦＩＤ装置Ａから固有ＩＤを送受信部１３にて受信して記憶部１５に記憶し、記憶された固有ＩＤおよび計算式から制御部２３が識別値を生成して記憶部１５に記憶し、記憶された識別値を送受信部１３から図１のＲＦＩＤ装置Ａに送信し、ＲＦＩＤ装置Ａにおいて識別値が記憶部５に格納される訳である。
【００４１】
そのため、簡単な構成によってＲＦＩＤ装置Ａ内の格納情報のコピーの有無判別用の識別値をＲＦＩＤ装置Ａに対して簡単に格納可能で、ＲＦＩＤ装置Ａの良好なセキュリティ確保に寄与する。
【００４２】
しかも、ＲＦＩＤ装置Ａの製造時の固有ＩＤを使うため、ＩＣチップ９の製造ばらつきがなくとも、正確に判別可能であるし、識別値を他のデバイス例えばサーバ等に登録する必要がないので、サーバ等と通信する構成の必要もない利点がある。
【００４３】
なお、本発明で識別値や判定値を得る上述した計算式は任意に選定可能であり、識別値が同じになるようにＲＦＩＤ装置Ａ毎に変更したり、同一の計算式を用いてＲＦＩＤ装置Ａ毎に異なる識別値になるようにしても良い。
【００４４】
もっとも、ＲＦＩＤ装置Ａ側と、判別装置又は制御装置側とで、同位置の計算式を用いることになる。
【図面の簡単な説明】
【００４５】
【図１】本発明に係るＲＦＩＤ装置の実施の一形態を示すブロック図である。
【図２】ＲＦＩＤ装置内の記憶内容を示す図である。
【図３】図１のＲＦＩＤ装置に係る判別装置および制御装置を示すブロック図である。
【符号の説明】
【００４６】
１  アンテナ部
３、１３  送受信部
５、１５  記憶部
７  制御部
９  ＩＣチップ
１１  シート状又はタグ本体
１７  操作表示部
１９  画像読取部
２１  印刷部
２３  制御部（生成送信制御部）
Ａ  ＲＦＩＤ装置
【図１】
2008108139.tif 000003
【図２】
2008108139.tif 000004
【図３】
2008108139.tif 000005